(57)【特許請求の範囲】
【請求項１】
一方の端部外周面にカフを有し、他方の端部にコネクタ部が形成された管腔体の内腔を気道確保用ルーメンとし、前記管腔体の管壁部内に前記カフに連通するカフ膨張用ルーメンおよび外部に連通する吸引開口部を有する吸引ルーメンが該管腔体の長さ方向に沿って設けられた気管切開チューブにおいて、
前記管腔体のコネクタ部の下部に、前記カフ膨張用ルーメンに連通し、先端部に前記カフを膨張または収縮させるパイロットバルーン部を有するカフ用チューブを設け、
前記パイロットバルーン部は、
前記カフ用チューブの先端近傍から先端にかけて覆い、下部側で該カフ用チューブを固定する中空状のパイロットバルーンと、
前記パイロットバルーンの中空部内において、前記カフ用チューブの径方向外側に向かって延びるようにして前記カフ用チューブに取り付けられたモニター部材とを備え、
前記モニター部材を、前記パイロットバルーンの中空部に空気を供給して該中空部およびカフを膨らませ、前記カフの内圧が所定の値となったときに、前記モニター部材の端部が前記パイロットバルーンの側壁に接触する長さに形成した
ことを特徴とする気管切開チューブ。
【請求項２】
前記パイロットバルーン部に、カフを所望の内圧に調整するための圧力目盛を設けたことを特徴とする請求項１記載の気管切開チューブ。
【請求項３】
前記パイロットバルーン部は、前記パイロットバルーンの上部に設けられ、逆止弁を有してパイロットバルーンの中空部に連通する連結部を備え、
前記モニター部材は、前記パイロットバルーンの中空部内において、前記カフ用チューブにこれと直交して取り付けられたことを特徴とする請求項１記載の気管切開チューブ。
【請求項４】
前記モニター部材を、パイロットバルーンの中空部に空気を供給して該中空部およびカフを膨らませ、該カフにより気管内に管腔体を支持させたときに、前記モニター部材の両端部が前記パイロットバルーンの側壁に接触する長さに形成したことを特徴とする請求項３記載の気管切開チューブ。
【請求項５】
一方の端部外周面にカフを有し、他方の端部にコネクタ部が形成された管腔体の内腔を気道確保用ルーメンとし、前記管腔体の管壁部内に前記カフに連通するカフ膨張用ルーメンおよび外部に連通する吸引開口部を有する吸引ルーメンが該管腔体の長さ方向に沿って設けられた気管切開チューブにおいて、
前記管腔体のコネクタ部の下部に、前記カフ膨張用ルーメンに連通し、先端部に前記カフを膨張または収縮させるパイロットバルーン部を有するカフ用チューブを設け、
前記パイロットバルーン部は、
前記カフ用チューブの先端近傍から先端にかけて覆い、下部側で該カフ用チューブを固定して、表面に圧力目盛が設けられた中空状のパイロットバルーンと、
前記パイロットバルーンの中空部内において、前記カフ用チューブの径方向外側に向かって延びるようにして前記カフ用チューブに取り付けられたモニター部材とを備え、
前記モニター部材の長さは、前記パイロットバルーンの中空部に空気を供給して該中空部およびカフを膨らませ、前記カフの内圧が所定の値となったときに、前記モニター部材の端部が前記所定の値に対応する前記パイロットバルーンの圧力目盛に位置するよう設定されている
ことを特徴とする気管切開チューブ。
【請求項６】
前記パイロットバルーン部は、前記パイロットバルーンの上部に設けられ、逆止弁を有してパイロットバルーンの中空部に連通する連結部を備え、
前記モニター部材は、前記パイロットバルーンの中空部内において、前記カフ用チューブにこれと直交して取り付けられたことを特徴とする請求項５記載の気管切開チューブ。
【請求項７】
モニター部材を、その長さ方向がカフ用チューブに直交するほぼ棒状に形成したことを特徴とする請求項１乃至６のいずれか記載の気管切開チューブ。
【発明の詳細な説明】
【０００１】
【発明の属する技術分野】
本発明は気管切開チューブに係り、さらに詳しくは、気管切開チューブの管腔体であるベントチューブにカフを有し、ベントチューブの管壁部内にカフに連通するカフ膨張用ルーメンが設けられた気管切開チューブに関するものである。
【０００２】
【従来の技術】
気管切開チューブは、周知のように、呼吸機能の不十分な患者等に用いられる医療器具である。そして、気管切開チューブは、患者に気管切開術を行いその切開部に挿入することによって人体に取り付けられるが、この気管切開チューブによって、空気は外部から気管を通じて肺に送り込まれたり、肺から外部へ送り出されたりするようになっている。したがって、患者はのど、鼻に空気を通すことなく、人体の自然の呼吸運動によって通常の呼吸をすることが可能となる。
【０００３】
また、呼吸不全患者の場合は、これに人工呼吸器を取り付けることにより、陽圧で肺を膨張させ、陰圧で空気を抜くという通常の呼吸に近い陽陰圧呼吸が行われ、さらに吸引ルーメン等を付設したものでは、貯溜している痰類の除去が可能であり、気管切開チューブのベントチューブにおける湾曲部の壁に穴等を設けたものは、患者の会話が可能となるなど、幅広い用途がある。
【０００４】
図５は従来の気管切開チューブの模式図およびそのＡ−Ａ断面図である。図において、１は気管切開チューブで、そのベントチューブ２はほぼ９０゜にやや大きな曲率で湾曲したほぼくの字状の管腔体で、この管腔体の内腔は気道確保用ルーメン２ａとなっている。４はベントチューブ２の一方の端部３またはその近傍の外周を覆うカフで、例えば気管に挿入されたベントチューブ２を隙間なく支持する役割を持っており、全体がタイヤのような中空状のもので、ベントチューブ２の管壁部内に設けられたカフ膨張用小ルーメン５を介して中空部を加圧または減圧し、カフ４全体を適宜膨張または収縮させることが可能になっている。
【０００５】
また、ベントチューブ２の管壁部内のカフ膨張用小ルーメン５に対向する位置に、気管内の痰等の粘稠流動体や食物などの固形物を吸引除去するための吸引ルーメン１３が設けられており、その吸引開口部１３ａがベントチューブ２の湾曲部の所定部分において外部に開放されるように貫設されている。なお、吸引ルーメン１３は高吸引性の必要性から、カフ膨張用小ルーメン５よりはルーメンとしてのインピーダンスを小さくすることが重要で、カフ膨張用小ルーメン５より大きいサイズのルーメンを形成する必要がある。このため、ベントチューブ２の内腔はカフ膨張用小ルーメン５側に偏ったものとなっており、吸引ルーメン１３の形成される側の壁厚は、カフ膨張用小ルーメン５の形成されている対向側の壁厚より厚くなっている。
【０００６】
６はベントチューブ２の他方の端部を構成するコネクタ部で、端部近傍の外周部に必要に応じて図示しない人工呼吸器や蓋（人工呼吸器不使用の場合等に使用される）などを装着する場合に用いられる円筒状で下端部にフランジを有しその対向する位置に人工呼吸器等の紐などで接続させるための一対の係止片１１ａ，１１ａを備えた回転自在な接続部１１が嵌合されている。７はコネクタ部６の下端部に一体に設けられた固定具で、コネクタ部６から延出された軸部８ａとその下部に設けられた左右両側へ延びる翼状のアーム部８ｂとからなり、アーム部８ｂの先端部近傍には人体への取付用の穴９がそれぞれ設けられている。そして、固定具７の軸部８ａのアーム部８ｂの上方には、カフ膨張用小ルーメン５に連通されカフ４の中空部を加圧または減圧するために使用されるカフ用小チューブ１０と、吸引ルーメン１３に連通された吸引ルーメン用チューブ１２とが取り付けられている。
【０００７】
そして、このように構成した気管切開チューブ１は、ベントチューブ２の端部３が肺側に向くように人体ののどから気管へ開けられた切開部に挿入され、固定具７の穴９に固定紐を取り付けて、この固定紐を人体に首にかけるようにして固定する。ついで、気管切開チューブ１のカフ４が気管の内周面を軽く押圧するように、カフ用小チューブ１０の先端部に設けられたパイロットバルーン部１４を介してカフ用小チューブ１０からカフ膨張用小ルーメン５より空気を送って膨らませ、この膨張したカフ４によって気管切開チューブ１を気管内に支持するとともに、肺から吐き出される空気がのどや鼻から抜けないように留置する。
【０００８】
留置後、肺から吐き出された空気は、のどや鼻に抜けることなくベントチューブ２の気道確保用ルーメン２ａを通ってコネクタ部６の開口部から人体の外部へ排気され、また、ベントチューブ２の気道確保用ルーメン２ａを通って人体の外部からの空気が肺へ取り入れられる。これを繰り返し行うことにより、通常の呼吸が行われる。そして、気管切開チューブ１の留置中、気管内の痰等の粘稠流動体や食物等の固形物は吸引ルーメン１３により吸引され、吸引ルーメン用チューブ１２を介して人体の外部に排出される。
【０００９】
【発明が解決しようとする課題】
上記のような従来の気管切開チューブ１は、肺を膨らます陽圧および空気を抜く陰圧の確保、あるいは、痰等の粘稠流動体や食物等の固形物の気管内への流入を防止するために、ベントチューブ２の端部３に設けられたカフ４に、パイロットバルーン部１４およびカフ用小チューブ１０を介してカフ膨張用小ルーメン５から空気を送って膨らませ、その膨張したカフ４により気管の内周面を押圧し、気管切開チューブ１を気管内に留置していた。このため、カフ４に所定量の空気を送ってカフ４を一定の内圧に保持することが必要であるが、その所定量の空気を供給することおよびカフ４の内圧を一定に保持することは難しく、例えばパイロットバルーン部１４に圧力計を装着してカフ４の内圧を一定に管理しようとすることも考えられるが、大変手間がかかってしまうという問題があった。
【００１０】
よって、現状では、使用者の経験による感覚や感触等を頼りにしており、パイロットバルーン部１４の膨らみを手で触れてその膨らみ具合、つまりカフ４の内圧の具合を感じることで、カフ４に所定量の空気を供給してカフ４の内圧を一定に保持するとともに、それらの確認を行っていた。しかしながら、感覚や感触は使用者によって個人差が生じるため、やはりカフ４に所定量の空気を供給することおよびカフ４の内圧を一定に保持することは難しく、またパイロットバルーン部１４の構成材料や気管切開チューブ１の製造具合等によっても感覚等が異なってしまうため、カフ４への所定量の空気の供給および一定の内圧の保持が確実に行われているかどうか曖昧であり、正確性に欠けてしまうという問題があった。
【００１１】
本発明は、上記のような課題を解決するためになされたもので、簡単かつ確実にカフに所定量の空気を供給するとともに、カフの内圧を一定に保持することのできる正確性が高く使い勝手よい気管切開チューブを提供することを目的としたものである。
【００１２】
【課題を解決するための手段】
本発明に係る気管切開チューブは、一方の端部外周面にカフを有し、他方の端部にコネクタ部が形成された管腔体の内腔を気道確保用ルーメンとし、管腔体の管壁部内にカフに連通するカフ膨張用ルーメンおよび外部に連通する吸引開口部を有する吸引ルーメンが管腔体の長さ方向に沿って設けられた気管切開チューブにおいて、管腔体のコネクタ部の下部に、カフ膨張用ルーメンに連通し、先端部にカフを膨張または収縮させるパイロットバルーン部を有するカフ用チューブを設け、パイロットバルーン部は、カフ用チューブの先端近傍から先端にかけて覆い、下部側で該カフ用チューブを固定する中空状のパイロットバルーンと、パイロットバルーンの中空部内において、カフ用チューブの径方向外側に向かって延びるようにしてカフ用チューブに取り付けられたモニター部材とを備え、モニター部材を、パイロットバルーンの中空部に空気を供給して該中空部およびカフを膨らませ、カフの内圧が所定の値となったときに、モニター部材の端部がパイロットバルーンの側壁に接触する長さに形成したものである。
【００１３】
本発明に係る気管切開チューブは、パイロットバルーン部に、カフを所望の内圧に調整するための圧力目盛を設けたものである。
【００１４】
本発明に係る気管切開チューブのパイロットバルーン部は、パイロットバルーンの上部に設けられ、逆止弁を有してパイロットバルーンの中空部に連通する連結部を備え、モニター部材は、パイロットバルーンの中空部内において、カフ用チューブにこれに直交して取り付けられたものである。
【００１５】
本発明に係る気管切開チューブは、モニター部材を、パイロットバルーンの中空部に空気を供給して中空部およびカフを膨らませ、カフにより気管内に管腔体を支持させたときに、モニター部材の両端部がパイロットバルーンの側壁に接触する長さに形成したものである。
【００１６】
本発明に係る気管切開チューブは、一方の端部外周面にカフを有し、他方の端部にコネクタ部が形成された管腔体の内腔を気道確保用ルーメンとし、管腔体の管壁部内にカフに連通するカフ膨張用ルーメンおよび外部に連通する吸引開口部を有する吸引ルーメンが該管腔体の長さ方向に沿って設けられた気管切開チューブにおいて、管腔体のコネクタ部の下部に、カフ膨張用ルーメンに連通し、先端部にカフを膨張または収縮させるパイロットバルーン部を有するカフ用チューブを設け、パイロットバルーン部は、カフ用チューブの先端近傍から先端にかけて覆い、下部側で該カフ用チューブを固定して、表面に圧力目盛が設けられた中空状のパイロットバルーンと、パイロットバルーンの中空部内において、カフ用チューブの径方向外側に向かって延びるようにしてカフ用チューブに取り付けられたモニター部材とを備え、モニター部材の長さは、パイロットバルーンの中空部に空気を供給して該中空部およびカフを膨らませ、カフの内圧が所定の値となったときに、モニター部材の端部が所定の値に対応するパイロットバルーンの圧力目盛に位置するよう設定されているものである。
【００１７】
本発明に係る気管切開チューブのパイロットバルーン部は、パイロットバルーンの上部に設けられ、逆止弁を有してパイロットバルーンの中空部に連通する連結部を備え、モニター部材は、パイロットバルーンの中空部内において、カフ用チューブにこれと直交して取り付けられたものである。
【００１８】
本発明に係る気管切開チューブは、モニター部材を、その長さ方向がカフ用チューブに直交するほぼ棒状に形成したものである。
【００１９】
【発明の実施の形態】
実施の形態１．
図１は本発明の実施の形態１の要部の平面図および側面図、図２はその作用説明図である。なお、図５で説明した従来例と同一部分には同じ符号を付し、説明を省略する。
【００２０】
図において、１４は気管切開チューブ１の固定具７の軸部８ａに接続されたカフ用小チューブ１０の先端部に設けられたパイロットバルーン部で、カフ用小チューブ１０の先端近傍から先端にかけて覆い、下部側でカフ用小チューブ１０を固定し、例えば平面形状がほぼ四角形で薄い中空に形成された軟質樹脂材料からなるパイロットバルーン１５と、パイロットバルーン１５の上部に設けられ、内側に逆止弁（図示せず）を有してパイロットバルーン１５の中空部１５ａに連通する連結部１６と、パイロットバルーン１５の中空部１５ａ内において、カフ用小チューブ１０にこれと直交して取り付けられたほぼ棒状のモニター部材１７とを備えている。そして、モニター部材１７は、パイロットバルーン１５の中空部１５ａ内に空気を入れてパイロットバルーン１５が膨らみ、さらにカフ４が膨張して気管の内周面を押圧し気管切開チューブ１を気管内に支持させたときに、その両端部１７ａ，１７ａがパイロットバルーン１５の側壁１５ｂの内側に接触する長さに形成されている。なお、連結部１６の先端部には、図５に示すようにキャップ１８を設けてもよい。
【００２１】
このように構成したこの実施の形態１においては、まず、気管切開チューブ１のベントチューブ２をその端部３が肺側に向くように、人体ののどから気管へ開けた切開部に挿入し、気管切開チューブ１の固定具７の下面側が切開部近郊の皮膚に当接するまで挿入する。挿入後、気管切開チューブ１の固定具７のアーム部８ｂの穴９に固定紐を取り付けて、この固定紐を人体の首にかけるようにして固定する。ついで、パイロットバルーン部１４の連結部１６の先端部側に、空気を送り込むためのシリンジを連結し、逆止弁を押しながらパイロットバルーン部１４のパイロットバルーン１５の中空部１５ａ内に空気を送り込む。送り込まれた空気は、パイロットバルーン１５を膨らましながらその中空部１５ａ内のカフ用小チューブ１０の先端部へと送られ、さらにカフ用小チューブ１０からカフ膨張用小ルーメン５を介してカフ４に送られる。そして、カフ４は送られた空気によって徐々に膨張し、気管の内周面を押圧して気管切開チューブ１を気管内に支持させるとともに、肺から吐き出される空気がのどや鼻側へ抜けないように留置する。
【００２２】
このとき、パイロットバルーン１５は、図２に示すように、その中空部１５ａ内に設けられたモニター部材１７の両端部１７ａ，１７ａにパイロットバルーン１５の側壁１５ｂの内側が接触するまで空気が送り込まれ、モニター部材１７の両端部１７ａ，１７ａがパイロットバルーン１５の側壁１５ｂの内側に接触した時点で、連結部１６に連結したシリンジからの空気の供給を停止する。このモニター部材１７の両端部１７ａ，１７ａがパイロットバルーン１５の側壁１５ｂの内側に接触した時点は、膨張したカフ４によって気管切開チューブ１を気管内に支持して留置させることができるカフ４の内圧が得られる時点であり、カフ４に所定量の空気を供給することができる。
【００２３】
留置後、肺から吐き出された空気は、のどや鼻側へ抜けることなくベントチューブ２の気道確保用ルーメン２ａを通ってコネクタ部６の開口部から人体の外部へ排気され、また、ベントチューブ２の気道確保用ルーメン２ａを通って人体の外部からの空気が肺へ取り入れられる。これを繰り返し行うことにより、通常の呼吸が行われる。そして、カフ４から空気が抜けたりした場合は、パイロットバルーン１５の側壁１５ｂの内側に接触していたモニター部材１７の両端部１７ａ，１７ａが側壁１５ｂから離れるため、再度接触するようにパイロットバルーン１５に空気を供給し、カフ４の内圧が一定に保持されるようにする。
【００２４】
また、気管切開チューブ１を取り外す場合、パイロットバルーン部１４の連結部１６にシリンジを連結し、逆止弁を押しながらパイロットバルーン１５の中空部１５ａ内の空気を抜き取り、カフ膨張用小ルーメン５およびカフ用小チューブ１０を介してカフ４を収縮させるとともに、図１に示すように、パイロットバルーン１５も収縮させる。そして、カフ４による気管の内周面への押圧を解除し、気管切開チューブ１を気管から抜き取れる状態にする。ついで、人体の首にかけていた固定紐を外し、人体ののどから気管へ開けた切開部から気管切開チューブ１を引っ張り出して取り外す。
【００２５】
このように、パイロットバルーン１５の中空部１５ａ内に位置したカフ用小チューブ１０の先端部側にそれと直交するモニター部材１７を設け、モニター部材１７の両端部１７ａ，１７ａがパイロットバルーン１５の側壁１５ｂの内側に接触するように、中空部１５ａ内に空気を送り込むようにしたので、この両者１７ａ，１５ｂの接触により、カフ４に所定量の空気を供給することができるとともに、両者１７ａ，１５ｂの接触を維持することにより、カフ４の内圧を一定に保持することができる。これにより、パイロットバルーン１５の膨らみを手で触ってその膨らみ具合、つまりカフ４の内圧の具合を感じるなどの感覚に頼らず、モニター部材１７の両端部１７ａ，１７ａとパイロットバルーン１５の側壁１５ｂの状態を目視するだけで、簡単かつ確実にカフ４への所定量の空気の供給および内圧の一定の保持と、その確認を行うことができ、正確性が高く使い勝手よい気管切開チューブ１を得ることができる。
【００２６】
実施の形態２．
図３は本発明の実施の形態２の要部の平面図および側面図、図４はその作用説明図で、実施の形態２は、実施の形態１に係る気管切開チューブ１において、そのパイロットバルーン部１４のパイロットバルーン１５の一方の面または両面に、カフ４の内圧の大きさを表す圧力目盛１９を印刷等により設けたものである。そして、その圧力目盛１９は複数（例えば２０ｍｍＨｇと１５ｍｍＨｇの２つの目盛）設けられており、モニター部材１７の両端部１７ａ，１７ａをいずれかの圧力目盛１９に位置合わせすることによって、カフ４を所望の内圧に調整することができる。
【００２７】
このように構成したことにより、実施の形態１とほぼ同じ作用および効果が得られるとともに、パイロットバルーン１５の表面に設けた圧力目盛１９のいずれかにモニター部材１７の両端部１７ａ，１７ａを位置合わせすることによって、カフ４を所望の内圧に調整することができる。また、使用中にカフ４の内圧を変更する場合は、モニター部材１７の両端部１７ａ，１７ａを今までと異なる圧力目盛１９に位置合わせすることによって簡単にカフ４の内圧を変更することができ、使い勝手よい気管切開チューブ１を得ることができる。
【００２８】
なお、上述の実施の形態１，２では、気管切開チューブ１のパイロットバルーン部１４のパイロットバルーン１５の平面形状を四角形とした場合を示したが、これに限定するものではなく、例えば三角形、台形、楕円形などの形状にしてもよい。
【００２９】
【発明の効果】
以上のように本発明に係る気管切開チューブは、一方の端部外周面にカフを有し、他方の端部にコネクタ部が形成された管腔体の内腔を気道確保用ルーメンとし、管腔体の管壁部内にカフに連通するカフ膨張用ルーメンおよび外部に連通する吸引開口部を有する吸引ルーメンが管腔体の長さ方向に沿って設けられた気管切開チューブにおいて、管腔体のコネクタ部の下部に、カフ膨張用ルーメンに連通し、先端部にカフを膨張または収縮させるパイロットバルーン部を有するカフ用チューブを設け、パイロットバルーン部に、カフに所定量の空気を供給し内圧を一定に保持するためのモニター部材を設けたので、このモニター部材により、人の感覚や感触に頼らず、簡単かつ確実にカフへの所定量の空気の供給および一定の内圧の保持と、それらの確認を行うことができる気管切開チューブを得ることができる。
【００３０】
本発明に係る気管切開チューブは、パイロットバルーン部に、カフを所望の内圧に調整するための圧力目盛を設けたので、カフへの所定量の空気の供給および一定の内圧の保持と、それらの確認を行えるとともに、カフの内圧の調整を簡単かつ確実に行うことができる使い勝手のよい気管切開チューブを得ることができる。
【００３１】
本発明に係る気管切開チューブは、パイロットバルーン部を、カフ用チューブの先端近傍から先端にかけて覆い、下部側でカフ用チューブを固定する中空状のパイロットバルーンと、パイロットバルーンの上部に設けられ、逆止弁を有してパイロットバルーンの中空部に連通する連結部と、パイロットバルーンの中空部内において、カフ用チューブにこれと直交して取り付けられたモニター部材とにより構成したので、上記と同様の効果を得ることができる。
【００３２】
本発明に係る気管切開チューブは、モニター部材を、パイロットバルーンの中空部に空気を供給して中空部およびカフを膨らませ、カフにより気管内に管腔体を支持させたときに、モニター部材の両端部がパイロットバルーンの側壁に接触する長さに形成したので、人の感覚や感触に頼らず、目視によりカフへの所定量の空気の供給および一定の内圧の保持と、それらの確認を行うことができる使い勝手のよい気管切開チューブを得ることができる。
【００３３】
本発明に係る気管切開チューブは、パイロットバルーン部を、カフ用チューブの先端近傍から先端にかけて覆い、下部側でカフ用チューブを固定して、表面に圧力目盛が設けられた中空状のパイロットバルーンと、パイロットバルーンの上部に設けられ、逆止弁を有してパイロットバルーンの中空部に連通する連結部と、パイロットバルーンの中空部内において、カフ用チューブにこれに直交して取り付けられたモニター部材とにより構成したので、上記と同様の効果を得ることができる。
【００３４】
本発明に係る気管切開チューブは、モニター部材を、パイロットバルーンの中空部に空気を供給して中空部およびカフを膨らませ、モニター部材の両端部がパイロットバルーンの圧力目盛に位置したときに、カフの内圧が圧力目盛に対応する内圧になる長さに形成したので、人の感覚や感触に頼らず、目視によりカフへの所定量の空気の供給および一定の内圧の保持と、それらの確認を行うことができるとともに、カフの内圧の調整を簡単かつ確実に行うことができる使い勝手のよい気管切開チューブを得ることができる。
【００３５】
本発明に係る気管切開チューブは、モニター部材を、その長さ方向がカフ用チューブに直交するほぼ棒状に形成したので、モニター部材のパイロットバルーンの側壁への接触およびパイロットバルーンの圧力目盛に対する位置合わせを容易に行え、カフへの所定量の空気の供給および一定の内圧の保持と、それらの確認、さらにカフの内圧の調整を簡単かつ確実に行うことができる気管切開チューブを得ることができる。
【図面の簡単な説明】
【図１】本発明の実施の形態１の要部の平面図および側面図である。
【図２】図１の作用説明図である。
【図３】本発明の実施の形態２の要部の平面図および側面図である。
【図４】図３の作用説明図である。
【図５】従来の気管切開チューブの模式図およびそのＡ−Ａ断面図である。
【符号の説明】
１  気管切開チューブ
２  ベントチューブ
２ａ  気道確保用ルーメン
３  端部
４  カフ
５  カフ膨張用小ルーメン
６  コネクタ部
１０  カフ用小チューブ
１４  パイロットバルーン部
１５  パイロットバルーン
１５ａ  中空部
１５ｂ  側壁
１６  連結部
１７  モニター部材
１７ａ  端部
１９  圧力目盛
【図１】
0004920150.tif 000002
【図２】
0004920150.tif 000003
【図３】
0004920150.tif 000004
【図４】
0004920150.tif 000005
【図５】
0004920150.tif 000006